(57)【要約】【課題】地上デジタルテレビジョン放送と地上デジタル音声放送との両方を受信可能なデジタル放送受信装置において、データ放送コンテンツにより受信装置内部に記録されるデータについて、異なる放送方式間においてもデータを共有できるようにする。【解決手段】データコンテンツからアクセスされる記憶領域を、地上デジタルテレビジョン放送及び地上デジタル音声放送のデータコンテンツの双方からアクセス可能とするように構成することで、放送形式が異なるデータコンテンツ間で視聴者データ、番組連動データを共有する。【選択図】図２
2008131496.tif 000002
【特許請求の範囲】
【請求項１】
映像データ、音声データ、及び放送番組に関連したデータコンテンツを含むテレビジョン放送を受信する地上デジタルテレビジョン放送受信手段と、
音声データ及び放送番組に関連したデータコンテンツを含む音声放送を受信する地上デジタル音声放送受信手段と、
前記地上デジタルテレビジョン放送受信手段で受信した放送波からデータコンテンツを取得する第１のデータ放送受信手段と、
前記地上デジタル音声放送受信手段で受信した放送波からデータコンテンツを取得する第２のデータ放送受信手段と、
前記第１のデータ放送受信手段で取得したデータコンテンツに基づく視聴者情報を記憶する第１の視聴者情報記憶手段と、
前記第２のデータ放送受信手段で取得したデータコンテンツに基づく視聴者情報を記憶する第２の視聴者情報記憶手段と、
地上デジタルテレビジョン放送の放送事業者と地上デジタル音声放送の放送事業者との対応関係を示す情報を記憶する事業者情報記憶手段と、
前記第１及び第２の視聴者情報記憶手段にそれぞれ記憶された視聴者情報が、前記事業者情報記憶手段に記憶された情報に基づいて同一の放送事業者が提供するデータコンテンツに基づく視聴者情報であると判定された場合に、当該視聴者情報を記憶する第３の視聴者情報記憶手段とを備えたことを特徴とするデジタル放送受信装置。
【請求項２】
請求項１において、
前記事業者情報記憶手段に記憶される情報は、放送事業者の系列識別情報、事業者識別情報、及びサービス識別情報を少なくとも含むことを特徴とするデジタル放送受信装置。
【発明の詳細な説明】
【技術分野】
【０００１】
本発明は、地上デジタルテレビジョン放送と地上デジタル音声放送の両方を受信可能なデジタル放送受信装置に関し、特にデータコンテンツによりアクセスされる視聴者データの記憶方法に関するものである。
【背景技術】
【０００２】
近年、テレビ放送の信号をデジタル化したデジタル放送が普及している（例えば、特許文献１，２参照）。現在、日本では、放送衛星を利用した衛星デジタル放送が行われており、地上波放送もデジタル化され、地上デジタル放送も普及しつつある。さらに地上デジタル音声放送についても実験放送が開始されている。
【０００３】
デジタル放送は、映像データ、音声データ、及び放送番組に関連したデータコンテンツの組み合わせで放送番組が構成されており、視聴者が一方的に放送を視聴及び聴取するだけでなく、視聴者が放送局側にデータを送信して番組に参加できるようになっており、インタラクティブ性が増している。
【０００４】
データコンテンツは、データ放送起動用のソフトウェアにて起動されてモニタ画面に描画され、視聴者はリモコンを操作することによって番組に参加することができる。
【０００５】
データコンテンツでは、視聴者のリモコン操作に対する反応を決めたり、視聴者の個人情報の登録、番組独自で設定するポイントの計算等を行うことができ、デジタル放送受信装置に設けられた不揮発性メモリ等の記憶領域上のデータ領域をデータコンテンツの記憶領域として利用することができる。そして、視聴者データをデジタル放送受信装置の記憶領域に記憶することで、個人情報の継続活用や番組独自ポイント加算システム等の機能を実現することができる。
【特許文献１】特開２００５−３４１００８号公報
【特許文献２】特開２００１−２３７７８８号公報
【発明の開示】
【発明が解決しようとする課題】
【０００６】
しかしながら、地上デジタルテレビジョン放送と地上デジタル音声放送のように、その放送形式が異なる場合には、データコンテンツはそれぞれの放送形式ごとに独立しており、データコンテンツから受信装置内部に記憶される視聴者データや番組連動データ等についてもそれぞれ独立した状態で記憶されることになる。
【０００７】
従って、たとえ同系列の放送事業者によって提供されるデータコンテンツであっても、地上デジタルテレビジョン放送用の記憶領域と地上デジタル音声放送用の記憶領域とを共有することができなかった。
【０００８】
これらの制限により、同じ受信装置であっても、地上デジタルテレビジョン放送と地上デジタル音声放送とのデータコンテンツに基づく視聴者データを共有できず、個人情報を登録し直す必要が生じたり、また、同じ系列局の同じ内容の番組を継続して視聴及び聴取する場合であっても、番組に連動する番組連動データを共有することができない等の不便が生じることが考えられる。
【０００９】
本発明は、かかる点に鑑みてなされたものであり、その目的とするところは、地上デジタルテレビジョン放送と地上デジタル音声放送との両方を受信可能なデジタル放送受信装置において、データ放送コンテンツにより受信装置内部に記録されるデータについて、異なる放送方式間においてもデータを共有できるようにすることにある。
【課題を解決するための手段】
【００１０】
すなわち、本発明のデジタル放送受信装置は、映像データ、音声データ、及び放送番組に関連したデータコンテンツを含むテレビジョン放送を受信する地上デジタルテレビジョン放送受信手段と、
音声データ及び放送番組に関連したデータコンテンツを含む音声放送を受信する地上デジタル音声放送受信手段と、
前記地上デジタルテレビジョン放送受信手段で受信した放送波からデータコンテンツを取得する第１のデータ放送受信手段と、
前記地上デジタル音声放送受信手段で受信した放送波からデータコンテンツを取得する第２のデータ放送受信手段と、
前記第１のデータ放送受信手段で取得したデータコンテンツに基づく視聴者情報を記憶する第１の視聴者情報記憶手段と、
前記第２のデータ放送受信手段で取得したデータコンテンツに基づく視聴者情報を記憶する第２の視聴者情報記憶手段と、
地上デジタルテレビジョン放送の放送事業者と地上デジタル音声放送の放送事業者との対応関係を示す情報を記憶する事業者情報記憶手段と、
前記第１及び第２の視聴者情報記憶手段にそれぞれ記憶された視聴者情報が、前記事業者情報記憶手段に記憶された情報に基づいて同一の放送事業者が提供するデータコンテンツに基づく視聴者情報であると判定された場合に、当該視聴者情報を記憶する第３の視聴者情報記憶手段とを備えたことを特徴とするものである。
【発明の効果】
【００１１】
以上のように、本発明によれば、データコンテンツに基づく視聴者情報を、地上デジタルテレビジョン放送データコンテンツと地上デジタル音声放送データコンテンツとで共有するようにしたから、ユーザーが地上デジタルテレビジョン放送と地上デジタル音声放送とを切り替えた場合であっても、視聴者情報を再度設定することなくデータコンテンツの視聴を継続することができる。
【発明を実施するための最良の形態】
【００１２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１３】
図１は、本実施形態に係るデジタル放送受信装置の構成を示すブロック図である。図１において、デジタル放送受信装置１０は、デジタルテレビジョン放送受信部１１、デジタル音声放送受信部１２、デジタルテレビジョン放送データコンテンツ受信部１３、デジタル音声放送データコンテンツ受信部１４、事業者情報記憶部１５、デジタルテレビジョン放送視聴者情報記憶部１６、共通視聴者情報記憶部１７、デジタル音声放送視聴者情報記憶部１８、操作部１９を備えている。
【００１４】
前記デジタルテレビジョン放送受信部１１は、デジタルテレビジョン放送事業者から、映像データ、音声データ、及び放送番組に関連したデータコンテンツを含むデジタルテレビジョン放送を受信するためのものである。
【００１５】
前記デジタル音声放送受信部１２は、デジタル音声放送事業者から、音声データ及びデータコンテンツを含むデジタル音声放送を受信するためのものである。
【００１６】
前記デジタルテレビジョン放送データコンテンツ受信部１３は、デジタルテレビジョン放送受信部１１で受信したデジタルテレビジョン放送からデータコンテンツを取得するためのものである。さらに、このデジタルテレビジョン放送データコンテンツ受信部１３は、取得したデータコンテンツからの指示及びユーザーが操作部１９を用いて入力した個人情報等の視聴者情報をデジタルテレビジョン放送視聴者情報記憶部１６に記憶する。また、データコンテンツからの指示により必要な視聴者情報をデジタルテレビジョン放送視聴者情報記憶部１６から読み出すことも行う。
【００１７】
前記デジタル音声放送データコンテンツ受信部１４は、デジタル音声放送受信部１２で受信したデジタル音声放送からデータコンテンツを取得するためのものである。デジタル音声放送データコンテンツ受信部１４は、取得したデータコンテンツからの指示及びユーザーが操作部１９により入力した視聴者情報をデジタル音声放送視聴者情報記憶部１８に記憶する。また、データコンテンツからの指示により必要な視聴者情報をデジタル音声放送視聴者情報記憶部１８から読み出すことも行う。
【００１８】
前記事業者情報記憶部１５は、地上デジタルテレビジョン放送事業者と地上デジタル音声放送事業者との対応関係を示す情報を記憶するものである。なお、これらの情報は装置内部にあらかじめ登録されているものとする。
【００１９】
前記デジタルテレビジョン放送視聴者情報記憶部１６は、デジタルテレビジョン放送データコンテンツ受信部１３で取得したデータコンテンツに基づく視聴者情報を記憶するためのものである。
【００２０】
前記共通視聴者情報記憶部１７は、デジタルテレビジョン放送データコンテンツ受信部１３及びデジタル音声放送データコンテンツ受信部１４の双方からアクセスすることが可能な視聴者情報を記憶する。
【００２１】
前記デジタル音声放送視聴者情報記憶部１８は、デジタル音声放送データコンテンツ受信部１４で取得したデータコンテンツに基づく視聴者情報を記憶するためのものである。
【００２２】
前記操作部１９は、ユーザーが視聴者情報等を入力するためのものであり、具体的には、リモコンやタッチパネル等が考えられる。
【００２３】
図２は、本発明の実施形態に係るデジタル放送受信装置１０におけるデジタルテレビジョン放送受信部１１の構成を示すブロック図である。図２に示すように、デジタルテレビジョン放送受信部１１は、デジタル放送受信チューナ１１１、及びＴＳ（Transport Stream）デコーダ１１２を備えている。
【００２４】
前記デジタル放送受信チューナ１１１は、地上デジタルテレビジョン放送局及び地上デジタル音声放送局からＴＳ（Transport Stream）と呼ばれる信号を受信するためのものである。ここで、ＴＳは、映像及び音声等のデータが多重化された信号である。
【００２５】
前記ＴＳデコーダ１１２は、デジタル放送受信チューナ１１１で受信したＴＳを、音声ＰＥＳ（Packeted Elementary Stream）、映像ＰＥＳ、データセクション、ＰＳＩ（Program Specificaion Information）、及びＳＩ（Service Information）に分離するためのものである。
【００２６】
なお、ＰＥＳは、タイムスタンプ情報を含んでおり、時刻同期を取りながら映像、音声等の文字を再生することが可能なデータ形式である。また、ＰＳＩは、番組特定情報と呼ばれるものであり、番組コンテンツ及び放送局に関する情報（放送局名、リモコンキーＩＤ、サービス識別情報、地域識別情報等）が含まれている。
【００２７】
ここで、音声ＰＥＳは、デジタルテレビジョン放送受信部１１に内蔵されている音声ＰＥＳ処理部１１３において音声データが取得され、デジタル放送受信装置１０外部のスピーカＳから出力される。
【００２８】
一方、映像ＰＥＳ、データセクション、ＰＳＩ、及びＳＩは、それぞれデジタルテレビジョン放送受信部１１に内蔵されている映像ＰＥＳ処理部１１４、データセクション処理部１１５、ＰＳＩ処理部１１６、ＳＩ処理部１１７において、それぞれ映像データ、データセクションデータ、ＰＳＩ情報、ＳＩ情報が取得され、デジタル放送受信装置１０外部のディスプレイＤでデジタル放送受信画面として表示される。
【００２９】
図３は、事業者情報記憶部１５に記憶する放送事業者情報の対応関係の例を示す図である。放送事業者にはそれぞれを識別するための情報として、系列ＩＤ、ネットワークＩＤ、サービスＩＤ等の識別情報が割り当てられている。これらの情報は、ＰＳＩ及びＳＩに基づいて取得される。事業者情報記憶部１５は、これらの識別情報を用いて地上デジタルテレビジョン放送事業者及び地上デジタル音声放送事業者の対応関係を記憶する。
【００３０】
なお、事業者情報記憶部１５に記憶される情報は、ユーザーが操作部１９より登録する構成としてもよいし、データコンテンツから指示される構成としてもよい。
【００３１】
図４は、共通視聴者情報記憶部１７に記憶する共通視聴者情報の例を示す図である。図４に示すように、共通視聴者情報は、複数の識別子４１とこれらの識別子４１にそれぞれ対応した複数のデータとで構成されている。なお、識別子４１は、デジタルテレビジョン放送のデータコンテンツ及びデジタル音声放送のデータコンテンツが各領域にアクセスするために必要となる情報であり、事業者情報記憶部１５に記憶されている。
【００３２】
なお、共通視聴者情報として識別子４１を記憶する代わりに、各領域にアクセス可能な放送事業者の識別情報を記憶するようにしてもよい。ここで、識別情報とは、系列ＩＤ、ネットワークＩＤ、サービスＩＤ等を示すものとする。
【００３３】
次に、デジタル放送受信装置１０がデータ放送コンテンツを受信した際に、視聴者情報にアクセスする動作について、デジタルテレビジョン放送データコンテンツを受信した場合を例に挙げて説明する。
【００３４】
図５は、デジタルテレビジョン放送のデータコンテンツに基づいて視聴者情報を書き込む際にデジタル放送受信装置１０で実行されるフローチャート図である。図５に示すように、まず、ステップＳ１１では、デジタルテレビジョン放送局から送信されたデジタルテレビジョン放送のデータコンテンツをデジタル放送受信装置１０のデジタルテレビジョン放送受信部１１で受信し、続くステップＳ１２に進む。
【００３５】
ステップＳ１２では、デジタルテレビジョン放送のデータコンテンツに基づいて視聴者情報の書き込みが指示され、続くステップＳ１３に進む。
【００３６】
ステップＳ１３では、デジタルテレビジョン放送データコンテンツ受信部１３において、ＰＳＩ及びＳＩに基づいて系列ＩＤ及び放送事業者識別情報を取得し、続くステップＳ１４に進む。
【００３７】
ステップＳ１４では、デジタルテレビジョン放送データコンテンツ受信部１３で取得した系列ＩＤ及び放送事業者識別情報に基づいて事業者情報記憶部１５を参照し、続くステップＳ１５に進む。
【００３８】
ステップＳ１５では、共通視聴者情報記憶部１７内に、系列ＩＤ及び放送事業者識別情報に対応する記憶領域が存在するか否かを判定する。
【００３９】
ステップＳ１５での判定が「ＹＥＳ」の場合には、ステップＳ１６に分岐し、ステップＳ１６で、指示された視聴者情報を共通視聴者情報記憶部１７に対して書き込み、処理を終了する。
【００４０】
一方、ステップＳ１５での判定が「ＮＯ」の場合には、ステップＳ１７に分岐し、ステップＳ１７で、指示された視聴者情報をデジタルテレビジョン放送視聴者情報記憶部１６に対して書き込み、処理を終了する。
【００４１】
次に、視聴者情報を読み出す手順について説明する。図６は、デジタルテレビジョン放送データコンテンツが視聴者情報を読み出す際にデジタル放送受信装置１０で実行されるフローチャート図である。
【００４２】
図６に示すように、まず、ステップＳ２１では、デジタルテレビジョン放送局から送信されたデジタルテレビジョン放送のデータコンテンツをデジタル放送受信装置１０のデジタルテレビジョン放送受信部１１で受信し、続くステップＳ２２に進む。
【００４３】
ステップＳ２２では、デジタルテレビジョン放送のデータコンテンツに基づいて視聴者情報の読み出しが指示され、続くステップＳ２３に進む。
【００４４】
ステップＳ２３では、デジタルテレビジョン放送データコンテンツ受信部１３において、ＰＳＩ及びＳＩに基づいて系列ＩＤ及び放送事業者識別情報を取得し、続くステップＳ２４に進む。
【００４５】
ステップＳ２４では、デジタルテレビジョン放送データコンテンツ受信部１３で取得した系列ＩＤ及び放送事業者識別情報に基づいて事業者情報記憶部１５を参照し、続くステップＳ２５に進む。
【００４６】
ステップＳ２５では、共通視聴者情報記憶部１７内に、系列ＩＤ及び放送事業者識別情報に対応する記憶領域が存在するか否かを判定する。
【００４７】
ステップＳ２５での判定が「ＹＥＳ」の場合には、ステップＳ２６に分岐し、ステップＳ２６で、指示された視聴者情報を共通視聴者情報記憶部１７から読み出し、処理を終了する。
【００４８】
一方、ステップＳ２５での判定が「ＮＯ」の場合には、ステップＳ２７に分岐し、ステップＳ２７で、指示された視聴者情報をデジタルテレビジョン放送視聴者情報記憶部１６から読み出し、処理を終了する。
【００４９】
以上のように、本実施形態に係るデジタル放送受信装置によれば、データコンテンツに基づく視聴者情報を、地上デジタルテレビジョン放送のデータコンテンツと地上デジタル音声放送のデータコンテンツとで共有するようにしたから、ユーザーが地上デジタルテレビジョン放送と地上デジタル音声放送とを切り替えた場合であっても、視聴者情報を再度設定する必要がなく、データコンテンツの視聴を継続することができる。
【産業上の利用可能性】
【００５０】
以上説明したように、本発明は、地上デジタルテレビジョン放送と地上デジタル音声放送との両方を受信可能なデジタル放送受信装置において、データ放送コンテンツにより受信装置内部に記録されるデータについて、異なる放送方式間においてもデータを共有できるという実用性の高い効果が得られることから、きわめて有用で産業上の利用可能性は高い。
【図面の簡単な説明】
【００５１】
【図１】本実施形態に係るデジタル放送受信装置の構成を示すブロック図である。
【図２】本発明の実施形態に係るデジタルテレビジョン放送受信部の構成を示すブロック図である。
【図３】事業者情報記憶部に記憶する放送事業者情報の対応関係の例を示す図である。
【図４】共通視聴者情報記憶部に記憶する共通視聴者情報の例を示す図である。
【図５】デジタルテレビジョン放送データコンテンツを共通視聴者情報記憶部に記憶する手順を示すフローチャート図である。
【図６】デジタルテレビジョン放送データコンテンツを共通視聴者情報記憶部から読み出す手順を示すフローチャート図である。
【符号の説明】
【００５２】
１０    デジタル放送受信装置
１１    デジタルテレビジョン放送受信部
１２    デジタル音声放送受信部
１３    デジタルテレビジョン放送データコンテンツ受信部
１４    デジタル音声放送データコンテンツ受信部
１５    事業者情報記憶部
１６    デジタルテレビジョン放送視聴者情報記憶部
１７    共通視聴者情報記憶部
１８    デジタル音声放送視聴者情報記憶部
１９    操作部
１１１    デジタル放送受信チューナ
１１２    ＴＳデコーダ
１１３    音声ＰＥＳ処理部
１１４    映像ＰＥＳ処理部
１１５    データセクション処理部
１１６    ＰＳＩ処理部
１１７    ＳＩ処理部
【図１】
2008131496.tif 000003
【図２】
2008131496.tif 000004
【図３】
2008131496.tif 000005
【図４】
2008131496.tif 000006
【図５】
2008131496.tif 000007
【図６】
2008131496.tif 000008